(57)【要約】【課題】ガイド軸とこれと接触する部材との間の摩耗の発生が軽減された変倍顕微鏡の変倍機構を提供する。【解決手段】変倍機構は、二つのレンズ１Ａと１Ｂと、レンズを保持するレンズ枠２Ａと２Ｂと、レンズ枠を保持するレンズ枠保持部材３と、レンズ枠保持部材を移動可能に支持する二本のガイド軸４Ａと４Ｂとを有している。レンズ枠保持部材３は、ガイド軸４Ａによって案内される案内部３ａと、ガイド軸４Ｂに押し付けられガイド軸４Ｂに接して移動する摺動部３ｂと、摺動部３ｂをガイド軸４Ｂに押し付ける押圧部材６とを有している。変倍機構は更に、押圧部材６とガイド軸４Ｂとの間に位置する摺動部材１１と、カムシャフト７とハンドル軸８とハンドル９Ａと９Ｂを含み、レンズ枠保持部材３を光軸に沿って移動させる移動手段とを備えている。【選択図】    図１
2004333944.tif 000002
【特許請求の範囲】
【請求項１】
変倍顕微鏡の光学系の倍率を変えるための変倍機構であり、
光学的パワーを有する少なくとも一つの光学部材と、
前記光学部材を保持する保持部材と、
前記保持部材を光学部材の光軸に沿って移動可能に支持する二本のガイド軸と、
前記保持部材を光軸に沿って移動させる移動手段とを備えており、
保持部材は、第一のガイド軸によって案内される案内部と、第二のガイド軸に押し付けられ第二のガイド軸に接して移動する摺動部と、摺動部を第二のガイド軸に押し付ける押圧部材とを有しており、
押圧部材と第二のガイド軸との間に位置する摺動部材を更に備えている、変倍顕微鏡の変倍機構。
【請求項２】
摺動部材は、第二のガイド軸に嵌合する嵌合穴を有し、第二のガイド軸によって案内される筒状部材で構成されている、請求項１に記載の変倍顕微鏡の変倍機構。
【請求項３】
摺動部材は、押圧部材と一体的に形成されている、請求項１に記載の変倍顕微鏡の変倍機構。
【発明の詳細な説明】
【０００１】
【発明の属する技術分野】
本発明は、倍率を変更可能な変倍顕微鏡の変倍機構に関する。
【０００２】
【従来の技術】
倍率を変更可能な変倍顕微鏡は広く知られている。変倍顕微鏡における倍率の変更は、レンズ等の光学部材をその光軸に沿って移動させることによって行なわれる。そのため、変倍顕微鏡は、レンズ等の光学部材をその光軸に沿って移動させる変倍機構を有している。
【０００３】
図３は、既に製品として知られている従来の変倍顕微鏡の変倍機構を示している。図３に示される変倍機構は、図示しない保持部材に保持され、架台などに配設される。
【０００４】
図３において、レンズ１Ａと１Ｂはそれぞれレンズ枠２Ａと２Ｂに保持され、レンズ枠２Ａと２Ｂは共にレンズ枠保持部材３に保持されている。レンズ枠保持部材３には、ガイド軸４Ａに嵌合し光軸５と平行に移動可能に摺動する嵌合穴を有する案内部３ａと、ガイド軸４Ｂに押し付けられ摺動する摺動部３ｂとが設けられている。レンズ枠保持部材３には押圧部材６がビス等で固定されており、押圧部材６はガイド軸４Ｂを押圧している。
【０００５】
また、レンズ枠保持部材３には、図示しないカムシャフト接続部が設けられており、カムシャフト７の図示しないカム溝と移動可能に接続されている。カムシャフト７は、図示しない伝達歯車によりハンドル軸８と連結されており、ハンドル軸８にはビス等によりハンドル９Ａと９Ｂが固定されている。ガイド軸４Ａと４Ｂは、本体１０に光軸５に対して平行に固定されている。
【０００６】
このような構成において、ハンドル９Ａと９Ｂを回転させると、伝達歯車によりカムシャフト７が回転し、カム溝に接続されているカムシャフト接続部を介してレンズ枠保持部材３がガイド軸４Ａに沿って移動する。これによって、レンズ１Ａと１Ｂが光軸５と平行に移動し変倍が行われる。
【０００７】
レンズ枠保持部材３は光軸５と平行に滑らかに移動しなければならない。さもないと、変倍時にレンズの光軸がずれてしまい、所望の光学性能が得られなくなってしまう。しかし、この構成においては、押圧部材６がガイド軸４Ｂを押圧しており、レンズ枠保持部材３の摺動部３ｂがガイド軸４Ｂに押し付けられるため、レンズ１Ａと１Ｂの位置が決まる。このため、レンズ１Ａと１Ｂは、位置ずれ無く光軸５と平行に滑らかに移動され得る。
【０００８】
【発明が解決しようとする課題】
押圧部材６が図３に示されるように板形状をしている場合、押圧部材６とガイド軸４Ｂは線あるいは点で接触するため、押圧部材６とガイド軸４Ｂの接触圧は比較的大きい。その結果、ガイド軸４Ｂと押圧部材６の間で摩耗が生じ易くなる。このような摩耗の発生は、変倍操作時に不所望な音を発生させたり、操作感を悪化させ、ひいては操作不能にさせたりする。つまり、摩耗の発生は、変倍操作の操作感や変倍性能を劣化させる要因となる。
【０００９】
本発明は、このような実状を考慮して成されたものであり、その目的は、ガイド軸とこれと接触する部材との間の摩耗の発生が軽減された変倍顕微鏡の変倍機構を提供することである。
【００１０】
【課題を解決するための手段】
本発明は、変倍顕微鏡の光学系の倍率を変えるための変倍機構に向けられており、以下の各項に列記する変倍顕微鏡の変倍機構を含んでいる。
【００１１】
１．本発明の変倍顕微鏡の変倍機構は、光学的パワーを有する少なくとも一つの光学部材と、前記光学部材を保持する保持部材と、前記保持部材を光学部材の光軸に沿って移動可能に支持する二本のガイド軸と、前記保持部材を光軸に沿って移動させる移動手段とを備えており、保持部材は、第一のガイド軸によって案内される案内部と、第二のガイド軸に押し付けられ第二のガイド軸に接して移動する摺動部と、摺動部を第二のガイド軸に押し付ける押圧部材とを有しており、押圧部材と第二のガイド軸との間に位置する摺動部材を更に備えている。
【００１２】
この変倍顕微鏡の変倍機構においては、摺動部材は、板状部材に比べて、比較的大きい面積で、第二のガイド軸に接触する。このため、摺動部材と第二のガイド軸との間の接触圧が比較的小さい。その結果、第二のガイド軸と摺動部材との間には摩耗が発生し難い。
【００１３】
２．本発明の別の変倍顕微鏡の変倍機構は、第１項の変倍顕微鏡の変倍機構において、摺動部材は、第二のガイド軸に嵌合する嵌合穴を有し、第二のガイド軸によって案内される筒状部材で構成されている。
【００１４】
この変倍顕微鏡の変倍機構においては、摺動部材の一実施態様が提供される。
【００１５】
３．本発明の別の変倍顕微鏡の変倍機構は、第１項の変倍顕微鏡の変倍機構において、摺動部材は、押圧部材と一体的に形成されている。
【００１６】
この変倍顕微鏡の変倍機構においては、摺動部材の別の一実施態様が提供される。
【００１７】
【発明の実施の形態】
以下、図面を参照しながら本発明の実施の形態について説明する。
【００１８】
第一実施形態
本実施形態は、変倍顕微鏡の光学系の倍率を変えるための変倍機構に向けられている。以下、図１を参照しながら本実施形態について説明する。
【００１９】
図１は、本発明の第一実施形態の変倍顕微鏡の変倍機構を示している。図１に示される変倍機構は、図示されていないが、保持部材に保持され、架台などに配設される。
【００２０】
図１に示されるように、本実施形態の変倍機構は、光学的パワーを有する二つの光学部材すなわちレンズ１Ａと１Ｂと、レンズ１Ａと１Ｂをそれぞれ保持するレンズ枠２Ａと２Ｂと、レンズ枠２Ａと２Ｂを共に保持するレンズ枠保持部材３と、レンズ枠保持部材３を移動可能に支持する二本のガイド軸４Ａと４Ｂとを有している。
【００２１】
二本のガイド軸４Ａと４Ｂは、本体１０に固定されており、レンズ１Ａと１Ｂの光軸５に対して平行に延びている。つまり、ガイド軸４Ａと４Ｂは、レンズ枠保持部材３をレンズ１Ａと１Ｂの光軸５に沿って移動可能に支持している。
【００２２】
レンズ枠保持部材３は、ガイド軸４Ａによって案内される案内部３ａと、ガイド軸４Ｂに押し付けられガイド軸４Ｂに接して移動する摺動部３ｂと、摺動部３ｂをガイド軸４Ｂに押し付ける押圧部材６とを有している。
【００２３】
案内部３ａは、これに限定されないが、例えば、ガイド軸４Ａに嵌合する嵌合穴を有する筒状部材から成り、ガイド軸４Ａによって案内される。案内部３ａは、ガイド軸４Ａを取り巻いている必要はなく、例えば円筒の一部が切り欠かれた形状であってもよい。案内部３ａは、過度な力が加わらない限り、ガイド軸４Ａから脱落しない形態であればよい。
【００２４】
押圧部材６は、これに限定されないが、例えば板ばねから成り、ビス等によってレンズ枠保持部材３に固定されている。押圧部材６は、例えば金属や樹脂等の弾性材料で作られるが、他の弾性材料で作られてもよい。
【００２５】
変倍機構は更に、押圧部材６とガイド軸４Ｂとの間に位置する摺動部材１１を備えている。摺動部材１１は、ガイド軸４Ｂに、板状の部材と比べて、比較的大きい面積で接触する。
【００２６】
摺動部材１１は、例えば金属や樹脂等の材料で作られるが、特にこれに限定されない。摺動部材１１は、ガイド軸４Ｂに接して滑らかに移動できさえすれば、どのような材料で作られてもよい。
【００２７】
摺動部材１１は、これに限定されないが、例えば、ガイド軸４Ｂに嵌合する嵌合穴を有し、ガイド軸４Ｂによって案内される筒状部材で構成される。摺動部材１１は、ガイド軸４Ｂを取り巻いている必要はなく、例えば円筒の一部が切り欠かれた形状であってもよい。摺動部材１１は、過度な力が加わらない限り、ガイド軸４Ｂから脱落しない形態であればよい。
【００２８】
押圧部材６が摺動部材１１を介してガイド軸４Ｂを押圧している。その反作用により、レンズ枠保持部材３の摺動部３ｂはガイド軸４Ｂに押し付けられる。これにより、光軸５を横切る方向に関するレンズ１Ａと１Ｂの位置が決まる。レンズ枠保持部材３はガイド軸４Ａと４Ｂに沿って滑らかに移動し得るため、レンズ１Ａと１Ｂは、光軸５を横切る方向に関する位置ずれを起こすことなく、光軸５に沿って平行に移動され得る。
【００２９】
変倍機構は更に、回転可能に支持されたカムシャフト７と、カムシャフト７に図示しない伝達歯車を介して連結されたハンドル軸８と、ハンドル軸８にビス等により固定されたハンドル９Ａと９Ｂとを有している。カムシャフト７は図示しないカム溝を有し、レンズ枠保持部材３は図示しないカムシャフト接続部を有し、レンズ枠保持部材３のカムシャフト接続部はカムシャフト７のカム溝に係合されている。
【００３０】
ハンドル９Ａと９Ｂの回転は、ハンドル軸８と伝達歯車を介して、カムシャフト７を回転させる。カムシャフト７の回転は、そのカム溝に係合したカムシャフト接続部を介して、レンズ枠保持部材３をガイド軸４Ａと４Ｂに沿って移動させる。つまり、ハンドル９Ａと９Ｂ、ハンドル軸８、図示しない伝達歯車、カムシャフト７、カムシャフト接続部等は、レンズ枠保持部材３を光軸に沿って移動させる移動手段を構成している。
【００３１】
本実施形態の変倍機構においては、ハンドル９Ａと９Ｂを回転させることにより、レンズ枠保持部材３がガイド軸４Ａと４Ｂに沿って移動される。つまり、レンズ１Ａと１Ｂが光軸５に沿って移動される。これにより、レンズ１Ａと１Ｂを含む変倍顕微鏡の倍率が変更される。
【００３２】
前述したように、押圧部材６が摺動部材１１を介してガイド軸４Ｂを押圧していることにより、レンズ１Ａと１Ｂは光軸５を横切る方向に関して位置決めされている。従って、ハンドル９Ａと９Ｂを回転させることにより、レンズ１Ａと１Ｂは、光軸５を横切る方向に関して位置ずれを起こすことなく、光軸５に沿って平行に移動される。
【００３３】
さらに、摺動部材１１は、ガイド軸４Ｂに、板状の部材と比べて、比較的大きい面積で接触する。このため、ガイド軸４Ｂと摺動部材１１の接触圧は比較的小さい。その結果、ガイド軸４Ｂと摺動部材１１の間で摩耗が生じ難い。つまり、ガイド軸４Ｂにレンズ枠保持部材３の摺動部３ｂを押し付けるためにガイド軸４Ｂと接触する部材と、ガイド軸４Ｂとの間の摩耗の発生が軽減される。
【００３４】
その結果、変倍操作時の不所望な音の発生を防止したり、操作感を悪化させ、ひいては操作不良を引き起こす要因を排除したりすることが可能になる。これにより、変倍操作の操作感や変倍性能の劣化の少ない変倍顕微鏡を提供することが可能になる。
【００３５】
第二実施形態
本実施形態は、変倍顕微鏡の別の変倍機構に向けられている。以下、図２を参照しながら本実施形態について説明する。
【００３６】
図２は、本発明の第二実施形態の変倍機構を示している。図２において、図１中の部材と同一の参照符号で指示された部材は同様の部材であり、その詳しい説明は省略する。
【００３７】
本実施形態の変倍機構は、押圧部材と摺動部材の構成の点においてのみ第一実施形態の変倍機構と相違しており、それ以外の構成は第一実施形態の変倍機構と全く同じである。
【００３８】
具体的には、図２に示されるように、本実施形態の変倍機構は、第一実施形態の押圧部材６と摺動部材１１とに代えて、押圧摺動部材１２を有している。押圧摺動部材１２は、レンズ枠保持部材３の摺動部３ｂをガイド軸４Ｂに押し付ける押圧部位１２ａと、押圧部位１２ａとガイド軸４Ｂとの間に位置する摺動部位１２ｂとを有している。
【００３９】
押圧摺動部材１２は、例えば金属や樹脂等の材料で作られるが、特にこれに限定されない。押圧摺動部材１２は、摺動部位１２ｂがガイド軸４Ｂに接して滑らかに移動できさえすれば、どのような材料で作られてもよい。
【００４０】
押圧部位１２ａと摺動部位１２ｂは一体的に形成されている。摺動部位１２ｂは、例えば半円筒形状を有しているが、特にこれに限定されない。摺動部位１２ｂは、例えば、ガイド軸４Ｂに嵌合する嵌合穴を有し、ガイド軸４Ｂによって案内される筒状部材で構成されてもよい。
【００４１】
本実施形態の変倍機構では、第一実施形態と同様に、ハンドル９Ａと９Ｂを回転させることにより、レンズ１Ａと１Ｂが光軸５に沿って移動され、レンズ１Ａと１Ｂを含む変倍顕微鏡の倍率が変更される。
【００４２】
押圧摺動部材１２の摺動部位１２ｂは、ガイド軸４Ｂに、板状の部材と比べて、比較的大きい面積で接触する。このため、ガイド軸４Ｂと摺動部位１２ｂの接触圧は比較的小さい。その結果、このため、ガイド軸４Ｂと摺動部位１２ｂの間で摩耗が生じ難い。つまり、ガイド軸４Ｂにレンズ枠保持部材３の摺動部３ｂを押し付けるためにガイド軸４Ｂと接触する部材と、ガイド軸４Ｂとの間の摩耗の発生が大幅に軽減される。
【００４３】
その結果、変倍操作時の不所望な音の発生を防止したり、操作感を悪化させ、ひいては操作不良を引き起こす要因を排除したりすることが可能になる。これにより、変倍操作の操作感や変倍性能の劣化の少ない変倍顕微鏡を提供することが可能になる。
【００４４】
これまで、図面を参照しながら本発明の実施の形態を述べたが、本発明は、これらの実施の形態に限定されるものではなく、その要旨を逸脱しない範囲において様々な変形や変更が施されてもよい。
【００４５】
上述した実施形態においては、光学的パワーを有する光学部材は、レンズで構成されているが、これに限定されない。例えば、光学的パワーを有する光学部材は、曲面ミラーで構成されてもよい。また、変倍機構は、二つのレンズ１Ａと１Ｂを有しているが、その個数はこれに限定されない。例えば、レンズの個数は一つであってもよい。つまり、変倍機構は、光学的パワーを有する少なく一つの光学部材を有していればよい。
【００４６】
【発明の効果】
本発明によれば、ガイド軸とこれと接触する部材の間の摩耗の発生が大幅に軽減された変倍機構が提供される。これにより、変倍操作の操作感や変倍性能の劣化の少ない変倍顕微鏡が提供されるようになる。
【図面の簡単な説明】
【図１】本発明の第一実施形態の変倍顕微鏡の変倍機構を示している。
【図２】本発明の第二実施形態の変倍機構を示している。
【図３】既に製品として知られている従来の変倍顕微鏡の変倍機構を示している。
【符号の説明】
１Ａ，１Ｂ…レンズ、２Ａ，２Ｂ…レンズ枠、３…レンズ枠保持部材、３ａ…案内部、３ｂ…摺動部、４Ａ，４Ｂ…ガイド軸、６…押圧部材、７…カムシャフト、８…ハンドル軸、９Ａ，９Ｂ…ハンドル、１１…摺動部材、１２…押圧摺動部材、１２ａ…押圧部位、１２ｂ…摺動部位。
【図１】
2004333944.tif 000003
【図２】
2004333944.tif 000004
【図３】
2004333944.tif 000005